(57)【特許請求の範囲】
【請求項１】
テレビ放送録再装置情報提供手段から取得した情報に従って、テレビ放送の映像および音声または音声のみを蓄積・再生するテレビ放送録再装置に地域コードを赤外線通信により送信する情報送信手段を有することを特徴とするテレビ放送録再装置の地域コード設定方式であって、
ＧＰＳ内蔵または近くの接続している基地局からの基地局データを基に現在位置を検出する位置検出手段と前記情報送信手段とを備える携帯電話装置と、
前記携帯電話装置と無線電波により接続する複数の基地局と、
前記基地局とインターネットで接続する前記テレビ放送録再装置情報提供手段と、
前記情報送信手段から送信された所定の信号を受信するテレビ放送録再装置とを有し、
前記携帯電話装置は前記テレビ放送録再装置情報提供手段から前記テレビ放送録再装置固有の前記赤外線通信の信号形式を取得し、前記位置検出手段で検出した前記現在位置に対応する地域コードを前記信号形式で前記テレビ放送録再装置へ送信することを特徴とする地域コード設定方式。
【請求項２】
テレビ放送の映像および音声または音声のみを蓄積・再生するテレビ放送録再装置に対する地域コード設定に利用する携帯電話装置であって、
無線部と、
ベースバンド信号処理部と、
ＧＰＳまたは近くの接続している基地局からの基地局データを基に前記携帯電話装置の現在位置を常時または所定の周期で測定する測位システムと、
前記測位システムで検出した前記携帯電話装置の最新の現在位置情報を基に前記テレビ放送録再装置に前記地域コードを設定するための情報を格納するメモリと、
前記テレビ放送録再装置に、前記地域コード設定情報から生成された、前記基地局とインターネットで接続するテレビ放送録再装置情報サーバから取得した前記テレビ放送録再装置固有の赤外線通信コード情報に適合した地域コード設定信号を、赤外線信号形式で送信する赤外線通信部と、
前記現在位置に対応する前記地域コードを前記テレビ放送録再装置に設定する制御を行う機能を備えた制御部を有することを特徴とする携帯電話装置。
【請求項３】
前記メモリは、前記測位システムで検出した前記携帯電話装置の最新の現在位置情報を格納する位置情報メモリと、前記テレビ放送録再装置に設定する地域コード情報を位置情報対応に格納する地域コードメモリと、テレビ放送録再装置情報サーバから取得した前記テレビ放送録再装置固有の赤外線通信コード情報を格納する赤外線通信コードメモリを有することを特徴とする請求項２記載の携帯電話装置。
【請求項４】
前記制御部は、前記測位システムで検出した前記携帯電話装置の最新の現在位置情報を前記位置情報メモリに格納する手段と、前記テレビ放送録再装置情報サーバから前記テレビ放送録再装置固有の赤外線通信コード情報を取得し前記赤外線コードメモリへ格納する手段と、前記位置情報メモリから最新の現在位置情報を読み出し、読み出した現在位置情報に対応する地域コード情報を前記地域コードメモリから読み出す手段と、前記赤外線通信コードメモリから前記テレビ放送録再装置固有の赤外線通信コード情報を読み出し、前記前記地域コードメモリから読み出した前記地域コード情報より前記赤外線通信コード情報に適合した前記地域コード設定情報を生成する手段と、生成した前記地域コード設定情報を前記赤外線通信部を介して前記テレビ放送録再装置へ送信させる手段を有することを特徴とする請求項３記載の携帯電話装置。
【請求項５】
前記制御部は、前記測位システムで検出した前記携帯電話装置の最新の現在位置情報を前記位置情報メモリに格納する手段と、前記テレビ放送録再装置情報サーバから前記テレビ放送録再装置の設置位置に対応する地域コードを取得し前記地域コードメモリに格納する手段と、前記テレビ放送録再装置情報サーバから前記テレビ放送録再装置固有の赤外線通信コード情報を取得し前記赤外線コードメモリへ格納する手段と、前記地域コードメモリから前記地域コードを読み出す手段と、前記赤外線通信コードメモリから前記テレビ放送録再装置固有の赤外線通信コード情報を読み出し、前記前記地域コードメモリから読み出した前記地域コード情報より前記赤外線通信コード情報に適合した前記地域コード設定情報を生成する手段と、生成した前記地域コード設定情報を前記赤外線通信部を介して前記テレビ放送録再装置へ送信させる手段を有することを特徴とする請求項３記載の携帯電話装置。
【請求項６】
ユーザが行う地域コード設定操作を検出し地域コード設定モードを設定し、ユーザにテレビ放送録再装置情報提供サービスの起動を要求させる第１のステップと、ユーザが行う前記テレビ放送録再装置情報提供サービスの起動要求を検出し、基地局に対し発呼し前記テレビ放送録再装置情報サーバへの接続を要求する第２のステップと、前記基地局から前記テレビ放送録再装置情報提供サービスサーバへの接続路の設定通知を受信し、ユーザにテレビ放送録再装置の製造業社名および型式番号の入力を要求する第３のステップと、ユーザが入力する前記テレビ放送録再装置の製造業社名および型式番号を検出し、前記基地局を介して前記テレビ放送録再装置情報提供サービスサーバへ前記テレビ放送録再装置のリモコン機能の赤外線信号形式を要求する第４のステップと、前記ビデオデッキ情報サーバから前記製造業社名と型式番号に対応する前記テレビ放送録再装置の赤外線信号形式情報を取得し赤外線通信コードメモリへ格納する第５のステップと、位置情報メモリを検索し現在位置情報を読み出す第６のステップと、ユーザに地域コード設定要否の入力を要求する第７のステップと、ユーザが入力する地域コード設定要を検出し、第６のステップで読み出した最新の位置情報に対応する地域コード情報を地域コードメモリから読み出す第８のステップと、赤外線通信コードメモリからテレビ放送録再装置の赤外線信号形式を読み出し、第８のステップで読み出した前記地域コード情報より、前記赤外線信号形式に適合した地域コード設定信号を生成する第９のステップと、第９のステップで生成した前記地域コード設定信号を赤外線通信部へ送出し、前記テレビ放送録再装置に対する赤外線通信を指示する第１０のステップを備えるテレビ放送録再装置の地域コード設定方法。
【請求項７】
ユーザが行う地域コード設定操作を検出し地域コード設定モードを設定し、ユーザにテレビ放送録再装置情報提供サービスの起動を要求する第１１のステップと、ユーザが行う前記テレビ放送録再装置情報提供サービスの起動要求を検出し、基地局に対し発呼し前記テレビ放送録再装置情報サーバへの接続を要求する第１２のステップと、前記基地局から前記テレビ放送録再装置情報提供サービスサーバへの接続路の設定通知を受信し、携帯電話装置の現在位置情報を位置情報メモリから読み出し前記基地局を介して前記テレビ放送録再装置情報サーバへ送信し前記位置情報に対応する地域コード情報を要求する第１３のステップと、前記テレビ放送録再装置情報サーバから前記位置情報に対応する地域コード情報を受信し地域コードメモリに格納する第１４のステップと、ユーザにテレビ放送録再装置の製造業社名および型式番号の入力を要求し、ユーザが入力する前記テレビ放送録再装置の製造業社名および型式番号を前記基地局を介して前記テレビ放送録再装置情報サーバへ送信し、前記テレビ放送録再装置のリモコン機能の赤外線信号形式を要求する第１５のステップと、前記ビデオデッキ情報サーバから前記製造業社名と型式番号に対応する前記テレビ放送録再装置の赤外線信号形式情報を取得し赤外線通信コードメモリへ格納する第１６のステップと、ユーザに地域コード設定要否の入力を要求する第１７のステップと、ユーザが入力する地域コード設定要の操作を検出し、第１４のステップで格納した地域コード情報を地域コードメモリから読み出す第１８のステップと、第１６のステップで格納したテレビ放送録再装置の赤外線信号形式を赤外線通信コードメモリから読み出し、第１８のステップで読み出した前記地域コード情報より、前記赤外線信号形式に適合した地域コード設定信号を生成する第１９のステップと、第１９のステップで生成した前記地域コード設定信号を赤外線通信部へ送出し、前記テレビ放送録再装置に対する赤外線通信を指示する第２０のステップを備えるテレビ放送録再装置の地域コード設定方法。
【発明の詳細な説明】
【技術分野】
【０００１】
本発明はテレビ放送録再装置の地域コード設定方式、設定方法と地域コード設定方式を利用する携帯電話装置に関し、特に携帯電話装置の位置情報に対応する地域コードを近距離通信によりテレビ放送録再装置へ転送し設定する地域コードの設定制御に関する。
【背景技術】
【０００２】
携帯機器の消費電力化と小型化により、ＧＰＳまたは近くの基地局を基に現在位置を測定する位置測定システムが搭載された携帯機器も商品化されるようになった。
【０００３】
また、赤外線通信機能を備え、それを利用して、市販のテレビやビデオテープレコーダ（以下ビデオデッキ）などを制御する機能も搭載されるようになった。
【０００４】
一方、多くのビデオデッキではＧコード（登録商標）で録画を予約できるようになっている。
【０００５】
Ｇコードは、番組のチャンネル、放送日、開始時間、放送時間を最大８桁の数字で表しており、番組表に記載されているＧコードを打ち込むことで簡単に予約することができる。
【０００６】
Ｇコードは、放送局毎にガイドチャンネルと呼ばれる固有の番号を割り当てている。
【０００７】
ビデオデッキは、同じ放送局でも地域によって放送されるチャンネルが異なるため、ガイドチャンネルと放送されるチャンネルの対応を記憶しておく必要がある。
【０００８】
すなわち、ビデオデッキは、地域ごとにガイドチャンネルと放送されるチャンネルの対応が異なるため、地域毎に対応する放送チャンネルすべて記憶している。
【０００９】
そして、現在地を地域コードと呼ばれる数値を指定することにより、ガイドチャンネルと放送されるチャンネルの対応がすべて行われるようになっている。
【００１０】
通常、ビデオデッキを購入した際、Ｇコードを使用して録画予約を可能にするためには、自分が居住している住所に対応した地域コードをビデオデッキに設定する必要がある。
【００１１】
また、引っ越し等の理由で地域コードを設定し直す必要が生じたとき、新住所に対応する地域コードの再設定が必要になる。
【００１２】
しかし、ビデオデッキに付属された取扱説明書を読んで地域コードを設定するのは面倒な作業である。
【００１３】
また、取扱説明書の紛失やどこかに仕舞い込んで行方がわからないとき、地域コードの設定ができなくなり、Ｇコードを使用したビデオ録画が不可能になる。
【００１４】
複数の地域（国、日本、アメリカ、ヨーロッパ等）毎に対応する放送電波の周波数帯（ＦＭバンド／ＡＭバンド）を予め記憶し、ＧＰＳまたは基地局から取得した移動体の現在位置に対応する受信周波数帯を受信機に設定する技術が、例えば特開２００１−２８５０９２号公報に開示されている（第１の従来技術）。
【００１５】
第１の従来技術の車両、船舶に搭載する移動体用受信機は、地域（国）と、その地域の利用電波の周波数帯とを予め格納しておく記憶手段と、移動体の現在位置を測位する現在位置測位手段を備えている。
【００１６】
そして、現在位置測位手段により検出した現在位置を基に移動体の位置する地域を検出し、検出した地域に対応する受信周波数帯を受信機に設定する制御手段を備えている。
【００１７】
【特許文献１】特開２００１−２８５０９２号公報（段落０００６、段落００３０、段落００３１、段落００３２、図２、図３）  また、携帯端末装置はリモコン手段機能を備え、ユーザは基地局との交信により入手したテレビのＧコードを含む番組表から所望する番組を放送時間と共に登録する。
【００１８】
制御部は、登録した番組の放送時間を検出し、リモコン手段を介してＧコードをビデオへ赤外線通信によりビデオテープレコーダへ送信する技術が、例えば特開２００２−２３２５９８号公報に開示されている（第２の従来技術）。
【００１９】
第２の従来技術の携帯端末装置は、インターネットを介してサーバに対して所定の周期（週１回、月１回）でアクセスし、番組表をダウンロードし、表示部上に表示する。
【００２０】
ユーザは、表示されて番組表から所望する番組とチャンネルを選択して登録する。
【００２１】
時計手段はユーザが登録した番組の放送開始時刻を監視し、放送開始時刻を検出すると、リモコン手段を起動し赤外線通信によりビデオテープレコーダへ送信する。
【００２２】
【特許文献２】特開２００２−２３２５９８号公報（段落００２０、段落００２１、段落００２４、段落００３９、段落００５６、段落００８９、図１）  また、赤外線によりビデオデッキを遠隔制御する無線式電話機は、携帯電話機からビデオ録画の予約を受け付け、予約時間になると赤外線通信によりビデオデッキを起動する技術が、例えば特開平６−１６４７４７号公報の開示されている（第３の従来技術）。
【００２３】
第３の従来技術のビデオデッキの遠隔制御システムは、携帯電話機を使用して外出先から家庭内に設置する無線式電話機へ着信し、ビデオ録画を予約する。
【００２４】
無線電話機は、受け付けたビデオ録画の予約情報を記憶手段に格納し、時計手段により予約情報を監視する。
【００２５】
無線電話機は、予約時間を検出すると、電源ＯＮ、チャンネル指定、録画スタート、録画ストップの各制御情報を赤外線により、ビデオデッキへ送信する。
【００２６】
【特許文献３】特開平６−１６４７４７号公報（段落０００７、段落０００９、段落００１０、段落００１２、図２、図３、図４）。
【００２７】
また、携帯電話機は使用可能な各地域の制御情報を各地域コード対応に記憶しておき、基地局から伝送される制御信号に含まれる地域コードに対応する制御情報で通信制御を行う技術が、例えば特開平８−１９０４３号公報に開示されている（第４の従来技術）。
【００２８】
第４の従来技術の携帯型電話装置は、複数の国コードや地域コード対応に、基地局と通信するための周波数帯域を予め記憶手段に格納しておく。
【００２９】
また、複数の国コードや地域コード対応に、警察等への緊急通報、天気予報や時報等の特定サービスの電話番号を予め記憶手段に格納しておく。
【００３０】
ＣＰＵは、複数の地域毎に制御信号に付加された制御コードに含まれる地域コードを識別し、記憶手段から地域コードに対応する周波数帯域を自動設定し、基地局に対するアクセスの迅速化を図る。
【００３１】
また、ＣＰＵは複数の地域毎に制御信号に付加された制御コードの中の地域コードを識別し、記憶手段から地域コードに対応する特定サービス番号に対し自動発呼する。
【００３２】
【特許文献４】特開平８−１９０４３号公報（段落００１２、段落００１６、段落００１７、段落００１８、段落００２８、段落００２９、図２）
【発明の開示】
【発明が解決しようとする課題】
【００３３】
上述した第１の従来技術は、車両や船舶に搭載されているＦＭ／ＡＭ受信機の周波数帯域を設定するものである。
【００３４】
具体的には、測位システムで検出した現在位置を基に国や地域を特定し、特定した国や地域に対応する受信周波数帯域をＦＭ／ＡＭ受信機に自動設定する。
【００３５】
このように第１の従来技術は、車両や船舶に搭載されているＦＭ／ＡＭ受信機の周波数帯域を設定するものであり、ビデオデッキの地域コードを設定するものではない。
【００３６】
第２の従来技術は、インターネットを介してサーバから放送番組表をダウンロードし、番組表から所望する番組とチャンネルを選択して登録する。
【００３７】
制御部は、登録番組の放送開始時刻を検出すると、リモコン手段を起動し赤外線通信によりＧコードを送信してテレビ受像機を起動すると共に放送チャンネルを選択する。
【００３８】
このように第２の従来技術は、インターネットを介してサーバから放送番組表を取得し所望の番組を登録し、放送時間に到達したとき登録番組のＧコードを赤外線でテレビ受像機へ送信し放映させるものであり、ビデオデッキの地域コードを設定するものではない。
【００３９】
第３の従来技術は、外出先からビデオデッキを遠隔制御可能な家庭内に設置した電話機に対しビデオ録画を予約し、予約時間に予約情報を赤外線でビデオデッキへ送信するものであり、ビデオデッキの地域コードを設定するものではない。
【００４０】
第４の従来技術は、複数の地域毎に基地局から伝送される制御信号に付加された制御コードに含まれる国コードや地域コードを識別する。
【００４１】
そして、記憶手段から国コードや地域コードに対応する基地局と通信するための周波数帯域を自動設定するものであり、ビデオデッキの地域コードを設定するものではない。
【００４２】
すなわち、上記各従来技術の文献には、ビデオデッキの新規購入における初期設定、あるいは使用環境の変化に伴う再設定において、放送チャンネルを設定するための地域コードの設定を示唆する記述は無い。
【００４３】
本発明の目的は、ビデオデッキにおけるＧコードによる録画予約のための地域コードを携帯電話装置の現在位置情報に基づき設定する地域コード設定方式、設定方法と地域コード設定方式を利用した携帯電話装置を提供することにある。
【課題を解決するための手段】
【００４４】
本発明の地域コード設定方式は、テレビ放送録再装置情報提供手段から取得した情報に従って、テレビ放送の映像および音声または音声のみを蓄積・再生するテレビ放送録再装置に地域コードを赤外線通信により送信する情報送信手段を有することを特徴とするテレビ放送録再装置の地域コード設定方式であって、ＧＰＳ内蔵または近くの接続している基地局からの基地局データを基に現在位置を検出する位置検出手段と前記情報送信手段とを備える携帯電話装置と、前記携帯電話装置と無線電波により接続する複数の基地局と、前記基地局とインターネットで接続する前記テレビ放送録再装置情報提供手段と、前記情報送信手段から送信された所定の信号を受信するテレビ放送録再装置とを有し、前記携帯電話装置は前記テレビ放送録再装置情報提供手段から前記テレビ放送録再装置固有の前記赤外線通信の信号形式を取得し、前記位置検出手段で検出した前記現在位置に対応する地域コードを前記信号形式で前記テレビ放送録再装置へ送信することを特徴とする。
【００５２】
本発明の携帯電話装置は、テレビ放送の映像および音声または音声のみを蓄積・再生するテレビ放送録再装置に対する地域コード設定に利用する携帯電話装置であって、無線部と、ベースバンド信号処理部と、ＧＰＳまたは近くの接続している基地局からの基地局データを基に前記携帯電話装置の現在位置を常時または所定の周期で測定する測位システムと、前記測位システムで検出した前記携帯電話装置の最新の現在位置情報を基に前記テレビ放送録再装置に前記地域コードを設定するための情報を格納するメモリと、前記テレビ放送録再装置に、前記地域コード設定情報から生成された、前記基地局とインターネットで接続するテレビ放送録再装置情報サーバから取得した前記テレビ放送録再装置固有の赤外線通信コード情報に適合した地域コード設定信号を、赤外線信号形式で送信する赤外線通信部と、前記現在位置に対応する前記地域コードを前記テレビ放送録再装置に設定する制御を行う機能を備えた制御部を有することを特徴とする。
【００５３】
また、前記メモリは、前記測位システムで検出した前記携帯電話装置の最新の現在位置情報を格納する位置情報メモリと、前記テレビ放送録再装置に設定する地域コード情報を位置情報対応に格納する地域コードメモリと、テレビ放送録再装置情報サーバから取得した前記テレビ放送録再装置固有の赤外線通信コード情報を格納する赤外線通信コードメモリを有することを特徴とする。
【００５４】
また、前記制御部は、前記測位システムで検出した前記携帯電話装置の最新の現在位置情報を前記位置情報メモリに格納する手段と、前記テレビ放送録再装置情報サーバから前記テレビ放送録再装置固有の赤外線通信コード情報を取得し前記赤外線コードメモリへ格納する手段と、前記位置情報メモリから最新の現在位置情報を読み出し、読み出した現在位置情報に対応する地域コード情報を前記地域コードメモリから読み出す手段と、前記赤外線通信コードメモリから前記テレビ放送録再装置固有の赤外線通信コード情報を読み出し、前記前記地域コードメモリから読み出した前記地域コード情報より前記赤外線通信コード情報に適合した前記地域コード設定情報を生成する手段と、生成した前記前記地域コード設定情報を前記赤外線通信部を介して前記テレビ放送録再装置へ送信させる手段を有することを特徴とする。
【００５５】
また、前記制御部は、前記測位システムで検出した前記携帯電話装置の最新の現在位置情報を前記位置情報メモリに格納する手段と、前記テレビ放送録再装置情報サーバから前記テレビ放送録再装置の設置位置に対応する地域コードを取得し前記地域コードメモリに格納する手段と、前記テレビ放送録再装置情報サーバから前記テレビ放送録再装置固有の赤外線通信コード情報を取得し前記赤外線コードメモリへ格納する手段と、前記地域コードメモリから前記地域コードを読み出す手段と、前記赤外線通信コードメモリから前記テレビ放送録再装置固有の赤外線通信コード情報を読み出し、前記前記地域コードメモリから読み出した前記地域コード情報より前記赤外線通信コード情報に適合した前記地域コード設定情報を生成する手段と、生成した前記前記地域コード設定情報を前記赤外線通信部を介して前記テレビ放送録再装置へ送信させる手段を有することを特徴とする。
【００５６】
本発明のテレビ放送録再装置の地域コード設定方法は、ユーザが行う地域コード設定操作を検出し地域コード設定モードを設定し、ユーザにテレビ放送録再装置情報提供サービスの起動を要求させる第１のステップと、ユーザが行う前記テレビ放送録再装置情報提供サービスの起動要求を検出し、基地局に対し発呼し前記テレビ放送録再装置情報サーバへの接続を要求する第２のステップと、前記基地局から前記テレビ放送録再装置情報提供サービスサーバへの接続路の設定通知を受信し、ユーザにテレビ放送録再装置の製造業社名および型式番号の入力を要求する第３のステップと、ユーザが入力する前記テレビ放送録再装置の製造業社名および型式番号を検出し、前記基地局を介して前記テレビ放送録再装置情報提供サービスサーバへ前記テレビ放送録再装置のリモコン機能の赤外線信号形式を要求する第４のステップと、前記ビデオデッキ情報サーバから前記製造業社名と型式番号に対応する前記テレビ放送録再装置の赤外線信号形式情報を取得し赤外線通信コードメモリへ格納する第５のステップと、位置情報メモリを検索し現在位置情報を読み出す第６のステップと、ユーザに地域コード設定要否の入力を要求する第７のステップと、ユーザが入力する地域コード設定要を検出し、第６のステップで読み出した最新の位置情報に対応する地域コード情報を地域コードメモリから読み出す第８のステップと、赤外線通信コードメモリからテレビ放送録再装置の赤外線信号形式を読み出し、第８のステップで読み出した前記地域コード情報より、前記赤外線信号形式に適合した地域コード設定信号を生成する第９のステップと、第９のステップで生成した前記地域コード設定信号を赤外線通信部へ送出し、前記テレビ放送録再装置に対する赤外線通信を指示する第１０のステップを備えている。
【００５７】
また、ユーザが行う地域コード設定操作を検出し地域コード設定モードを設定し、ユーザにテレビ放送録再装置情報提供サービスの起動を要求する第１１のステップと、ユーザが行う前記テレビ放送録再装置情報提供サービスの起動要求を検出し、基地局に対し発呼し前記テレビ放送録再装置情報サーバへの接続を要求する第１２のステップと、前記基地局から前記テレビ放送録再装置情報提供サービスサーバへの接続路の設定通知を受信し、携帯電話装置の現在位置情報を位置情報メモリから読み出し前記基地局を介して前記テレビ放送録再装置情報サーバへ送信し前記位置情報に対応する地域コード情報を要求する第１３のステップと、前記テレビ放送録再装置情報サーバから前記位置情報に対応する地域コード情報を受信し地域コードメモリに格納する第１４のステップと、ユーザにテレビ放送録再装置の製造業社名および型式番号の入力を要求し、ユーザが入力する前記テレビ放送録再装置の製造業社名および型式番号を前記基地局を介して前記テレビ放送録再装置情報サーバへ送信し、前記テレビ放送録再装置のリモコン機能の赤外線信号形式を要求する第１５のステップと、前記ビデオデッキ情報サーバから前記製造業社名と型式番号に対応する前記テレビ放送録再装置の赤外線信号形式情報を取得し赤外線通信コードメモリへ格納する第１６のステップと、ユーザに地域コード設定要否の入力を要求する第１７のステップと、ユーザが入力する地域コード設定要の操作を検出し、第１４のステップで格納した地域コード情報を地域コードメモリから読み出す第１８のステップと、第１６のステップで格納したテレビ放送録再装置の赤外線信号形式を赤外線通信コードメモリから読み出し、第１８のステップで読み出した前記地域コード情報より、前記赤外線信号形式に適合した地域コード設定信号を生成する第１９のステップと、第１９のステップで生成した前記地域コード設定信号を赤外線通信部へ送出し、前記テレビ放送録再装置に対する赤外線通信を指示する第２０のステップを備えている。
【発明の効果】
【００５８】
以上説明したように本発明によれば、テレビ放送の映像および音声または音声のみを蓄積・再生するテレビ放送録再装置の設置位置の位置情報に基づき地域コードをテレビ放送録再装置に設定できるため、面倒な設定操作や取扱説明書を紛失、行方不明であっても極めて容易に設定できる。
【発明を実施するための最良の形態】
【００５９】
本発明の実施の形態について説明する。
【００６０】
図１は本発明のシステム構成の概略図である。
【００６１】
図２は本発明の携帯電話装置の主要構成を示すブロック図である。
【００６２】
図３は第１の実施の形態の地域コード設定処理のフローチャートである。
【００６３】
図４は第１の実施の形態の地域コード設定処理のフローチャートである。
【００６４】
図５は地域コードと放送局のガイドチャンネルおよび放送チャンネルの一例を示す図である。
【００６５】
最初に本発明のシステム構成について説明する。
【００６６】
図１を参照すると、地域コード設定システムは、携帯電話装置１０と、基地局２０、２１と、サーバ３０と、ＧＰＳ衛星４１、４２、４３、４４と、ビデオデッキ５０とから構成している。
【００６７】
携帯電話装置１０は、基地局２０（２１）に対してビデオデッキ情報提供サービスを要求する。
【００６８】
基地局２０（２１）は、携帯電話装置１０からビデオデッキ情報提供サービス要求を受信すると、インターネットを介してビデオデッキ情報提供サーバ３０を接続する。
【００６９】
携帯電話装置１０は、ビデオデッキ情報提供サーバ３０に対し、ビデオデッキ５０の製造業者名と型式番号を送信して、ビデオデッキ５０の赤外線通信コードを要求する。
【００７０】
ビデオデッキ情報提供サーバ３０は、受信した製造業者名と型式番号を基にビデオデッキ５０の赤外線通信コードを検索し、インターネット、基地局２０（２１）を介して携帯電話装置１０へビデオデッキ５０の赤外線通信コードを送信する。
【００７１】
携帯電話装置１０は、受信したビデオデッキ５０の赤外線通信コードを赤外線通信コードメモリ（図示せず）へ格納した後、位置情報メモリ（図示せず）から現在の位置情報を読み出す。
【００７２】
携帯電話装置１０は、位置情報メモリから読み出した現在位置情報を基に地域コードメモリを検索し、現在位置に対応する地域コードを読み出す。
【００７３】
携帯電話装置１０は、赤外線通信コードメモリから読み出した赤外線通信コードに適合する地域コード設定情報を生成する。
【００７４】
携帯電話装置１０は、生成した地域コード設定情報を赤外線によりビデオデッキ５０へ送信し、現在地に対応した地域コードをビデオデッキ５０へ設定する。
【００７５】
以後、ビデオデッキ５０の使用環境が変わらない限り地域コードの設定は必要ない。
【００７６】
位置情報メモリに格納されている現在位置情報は、ＧＰＳ衛星４１〜４４からＧＰＳアンテナを介して常時受信した最新の緯度情報、経度情報である。
【００７７】
次に本発明の携帯電話装置の構成について説明する。
【００７８】
図２によれば、本発明の携帯電話装置１０は、携帯電話用のアンテナ１１と、無線部１２と、ベースバンド信号処理部１３と、音声入出力部１４を備えている。
【００７９】
また、本発明の携帯電話装置１０は、ＧＰＳアンテナ１５と、測位システム１６と、赤外線通信部１７と、メモリ１８と、制御部１９を備えている。
【００８０】
メモリ１８は、ビデオデッキ５０（図１）をリモートコントロールするための信号形式を記憶する赤外線通信コードメモリ１８―１を備えている。
【００８１】
また、メモリ１８は、地域コード対応のガイドチャンネルと放送局表示チャンネルを記憶する地域コードメモリ１８―２を備えている。
【００８２】
また、メモリ１８は、測位システムで測位した最新の現在位置情報を記憶する位置情報メモリを備えている。
【００８３】
測位システム１６は、ＧＰＳアンテナ１５を介してＧＰＳ衛星４１〜４４の電波を受信し緯度情報、経度情報から現在位置を演算し、携帯電話装置１０の現在位置を取得する。
【００８４】
制御部１９は、測位システムが取得した現在位置情報と前回取得した位置情報メモリ１８―３に記憶してある位置情報と比較し、変化があれば更新する。
【００８５】
従って、位置情報メモリ１８―３には常に最新の現在位置情報が記憶される。
【００８６】
制御部１９は、位置情報メモリ１８―３に記憶されている最新の位置情報を基に地域コードメモリ１８―２を検索し、現在位置に対応する地域コードのガイドチャンネルと放送局表示チャンネルを読み出す。
【００８７】
制御部１９は、赤外線通信コードメモリ１８―１に記憶してある赤外線通信コードに適応する信号形式の地域コード設定信号を生成する。
【００８８】
制御部１９は、生成した地域コード設定信号を赤外線通信部１７へ送信し、ビデオデッキ５０への地域コード設定信号の送信を指示する。
【００８９】
赤外線通信部１７は、受け取った地域コード設定信号を赤外線によりビデオデッキ５０へ送信する。
【００９０】
ビデオデッキ５０は、赤外線通信部１７から送信された地域コード設定信号を受信し、所定の処理で地域コードに対応したガイドチャネル情報と放送表示チャネル情報を設定する。
【００９１】
地域コードと、ガイドチャンネルおよび放送チャンネル（表示チャンネル）の関係を図５に示す。
【００９２】
図５によれば、札幌地区の地域コードは「０１」で、この地域コード「０１」に対応するＮＨＫ（登録商標）総合テレビのガイドチャンネルは「８０」、放送チャンネル表示は「０３」である。
【００９３】
また、地域コード「０１」に対応するＮＨＫ（登録商標）教育テレビのガイドチャンネルは「９０」、放送チャンネル表示は「１２」である。
【００９４】
同様に、東京地区の地域コードは「１３」で、この地域コード「１３」に対応するＮＨＫ（登録商標）総合テレビのガイドチャンネルは「８０」、放送チャンネル表示は「０１」である。
【００９５】
また、地域コード「１３」に対応するＮＨＫ（登録商標）教育テレビのガイドチャンネルは「９０」、放送チャンネル表示は「０３」である。
【００９６】
従って、東京在住者が札幌へ転居した場合には、札幌地区の地域コード「０１」に再設定する必要がある。
【００９７】
次に図３に図２を併せて参照して地域コード設定処理について説明する。
【００９８】
制御部１９は、ユーザが行う地域コード設定操作を検出し地域コード設定モードを設定し、表示部（図示せず）にビデオデッキ情報提供サービスの起動要求画面を表示する（図３のステップＳ１０１）。
【００９９】
ユーザは、表示部に表示されたビデオデッキ情報提供サービスの起動要求画面上で起動要求操作を行う（Ｓ１０２）。
【０１００】
なお、この起動要求操作は、例えば起動要求画面の「ＯＮ」表示を押下することにより可能である。
【０１０１】
また、この起動要求は、操作部（図示せず）のキー操作であってもよい。
【０１０２】
制御部１９は、ユーザによるビデオデッキ情報提供サービスの起動要求を検出すると、基地局２０に対し発呼しビデオデッキ情報サーバ３０への接続を要求する（Ｓ１０３）。
【０１０３】
基地局２０は、携帯電話装置１０からビデオデッキ情報提供サービス３０に対する接続要求を受信すると、インターネットを介してビデオデッキ情報サーバ３０と接続し、その旨を携帯電話装置１０へ通知する。
【０１０４】
制御部１９は、表示部にビデオデッキ５０の製造業社名および型式番号の入力要求画面を表示する。
【０１０５】
ユーザは、ビデオデッキ５０の製造業社名と型式番号を操作部からキー入力し、ビデオデッキ５０の赤外線通信コード（赤外線信号形式）を要求する（Ｓ１０４）。
【０１０６】
ビデオデッキ情報サーバ３０は、製造業社名と型式番号を基に対応するビデオデッキの赤外線信号形式を検索し、携帯電話装置１０へ送信する。
【０１０７】
制御部１９は、ビデオデッキ情報サーバ３０からビデオデッキ５０の赤外線信号形式を取得し（Ｓ１０５）、赤外線通信コードメモリ１８−１へ格納する（Ｓ１０６）。
【０１０８】
制御部１９は、赤外線通信コードメモリ１８−１へ赤外線信号形式を格納後、位置情報メモリ１８−３を検索し（Ｓ１０７）、現在位置情報を取得する（Ｓ１０８）。
【０１０９】
制御部１９は、現在位置情報を取得すると、表示部に地域コード設定画面を表示する。
【０１１０】
ユーザは、表示部に表示された地域コード設定画面上で地域コード設定要求操作を行う（Ｓ１０９）。
【０１１１】
なお、この地域コード設定要求操作は、例えば起動要求画面の「ＯＮ」表示を押下することにより可能である。
【０１１２】
また、この起動要求は、操作部（図示せず）のキー操作であってもよい。
【０１１３】
なお、ステップＳ１０９のユーザによる地域コード設定要求操作処理を省略してステップＳ１０８において現在位置情報を取得後、ステップＳ１１０へ移行してもよい。
【０１１４】
制御部１９は、地域コード設定要求を検出すると、位置情報メモリ１８−３から最新の位置情報を読み出す。
【０１１５】
制御部１９は、位置情報メモリから読み出した最新の位置情報に対応する地域コードを地域コードメモリ１８−２から読み出す（Ｓ１１０）。
【０１１６】
制御部１９は、赤外線通信コードメモリ１８−１からビデオデッキ５０の赤外線信号形式を読み出しその赤外線信号形式に適合した地域コード設定信号を生成する（Ｓ１１１）。
【０１１７】
制御部１９は、生成した地域コード設定信号を赤外線通信部１７へ送出し、ビデオデッキ５０に対する赤外線通信を指示する。
【０１１８】
赤外線通信部１７は、地域コード信号を赤外線通信によりビデオデッキ５０へ送信し（Ｓ１１２）、ビデオデッキ５０の地域コードを設定する（Ｓ１１３）。
【０１１９】
このように第１の実施の形態によれば、ビデオデッキを新規に購入した際に必要な地域コードの設定が簡単になる。
【０１２０】
その理由は、ビデオデッキに添付されている取扱説明書を参照して行う、面倒な地域コードの設定が不要になるからである。
【０１２１】
また、転居等により居住環境が変わり地域コードの設定を行う際に、取扱説明書の紛失、行方不明であっても、携帯電話装置から極めて簡単に地域コードの設定が可能になる。
【０１２２】
次に図２に図４を併せて参照し第２の実施の形態について説明する。
【０１２３】
なお、携帯電話装置１０のハード構成は第１の実施の形態と同様であるので、構成の説明を省略する。
第１の実施の形態と第２の実施の形態との相違は、第１の実施の形態では地域コードメモリ１８−２に予め全国の地域コード情報対応にガイドチャンネル番号と表示チャンネルを格納している。
【０１２４】
また、ビデオデッキ情報サーバ３０からビデオデッキの赤外線信号形式のみを取得している。
【０１２５】
これに対し第２の実施の形態では、ビデオデッキ情報サーバ３０から赤外線信号形式のほかに、全国の地域コード情報対応のガイドチャンネル番号と表示チャンネルも取得する。
【０１２６】
地域コードメモリ１８−２は、ビデオデッキ情報サーバ３０から受信した当該地域の地域コードとガイドチャンネル番号と表示チャンネルのみを格納する。
【０１２７】
制御部１９は、ユーザが行う地域コード設定操作を検出し地域コード設定モードを設定し、表示部（図示せず）にビデオデッキ情報提供サービスの起動要求画面を表示する（図３のステップＳ２０１）。
【０１２８】
ユーザは、表示部に表示されたビデオデッキ情報提供サービスの起動要求画面上で起動要求操作を行う（Ｓ２０２）。
【０１２９】
なお、この起動要求操作は、例えば起動要求画面の「ＯＮ」表示を押下することにより可能である。
【０１３０】
また、この起動要求は、操作部（図示せず）のキー操作であってもよい。
【０１３１】
制御部１９は、ユーザによるビデオデッキ情報提供サービスの起動要求を検出すると、基地局２０に対し発呼しビデオデッキ情報サーバ３０への接続を要求する（Ｓ２０３）。
【０１３２】
基地局２０は、携帯電話装置１０からビデオデッキ情報提供サービス３０に対する接続要求を受信すると、インターネットを介してビデオデッキ情報サーバ３０と接続し、その旨を携帯電話装置１０へ通知する。
【０１３３】
制御部１９は、ビデオデッキ情報サーバ３０に対する通信路の接続通知を受信すると、位置情報メモリ１８−３から最新の現在位置情報を読み出し、ビデオデッキ情報サーバ３０へ送信する（Ｓ２０４）。
【０１３４】
ビデオデッキ情報サーバ３０は、携帯電話装置１０の現在位置情報を基に対応する地域コード情報を検索し、携帯電話装置１０へ送信する（Ｓ２０５）。
【０１３５】
制御部１９は、ビデオデッキ情報サーバ３０から受信した現在位置情報に対応する地域コード情報を地域コードメモリ１８−２へ格納する（Ｓ２０６）。
【０１３６】
制御部１９は、地域コード情報を格納後、表示部にビデオデッキの製造業社名および型式番号の入力画面を表示する。
【０１３７】
ユーザは、ビデオデッキ５０の製造業社名と型式番号を操作部からキー入力し、ビデオデッキ５０の赤外線通信コード（赤外線信号形式）を要求する（Ｓ２０７）。
【０１３８】
ビデオデッキ情報サーバ３０は、製造業社名と型式番号を基に対応するビデオデッキの赤外線信号形式を検索し、携帯電話装置１０へ送信する。
【０１３９】
制御部１９は、ビデオデッキ情報サーバ３０からビデオデッキ５０の赤外線信号形式を取得し（Ｓ２０８）、赤外線通信コードメモリ１８−１へ格納する（Ｓ２０９）。
【０１４０】
制御部１９は、赤外線通信コードメモリ１８−１へ赤外線信号形式を格納後、表示部に地域コード設定画面を表示する。
【０１４１】
ユーザは、表示部に表示された地域コード設定画面上で地域コード設定要求操作を行う（Ｓ２１０）。
【０１４２】
なお、この地域コード設定要求操作は、例えば起動要求画面の「ＯＮ」表示を押下することにより可能である。
【０１４３】
また、この起動要求は、操作部（図示せず）のキー操作であってもよい。
【０１４４】
なお、ステップＳ２１０のユーザによる地域コード設定要求操作処理を省略してステップＳ２０９において赤外線通信コードメモリに赤外線通信コードを格納後、ステップＳ２１１へ移行してもよい。
【０１４５】
制御部１９は、地域コード設定要求を検出すると、位置情報メモリ１８−３から最新の位置情報を読み出す。
【０１４６】
制御部１９は、位置情報メモリ１８−３から読み出した最新の位置情報に対応する地域コードを地域メモリ１８−２から読み出す（Ｓ２１１）。
【０１４７】
制御部１９は、赤外線通信コードメモリ１８−１からビデオデッキ５０の赤外線信号形式を読み出しその赤外線信号形式に適合した地域コード設定信号を生成する（Ｓ２１２）。
【０１４８】
制御部１９は、生成した地域コード設定信号を赤外線通信部１７に送出し、ビデオデッキ５０に対する赤外線通信を指示する。
【０１４９】
赤外線通信部１７は、地域コード設定信号を赤外通信によりビデオデッキ５０へ送信し（Ｓ２１３）、ビデオデッキ５０の地域コードを設定する（Ｓ２１４）。
【０１５０】
このように第２の実施の形態によれば、第１の実施の形態の効果に加え、次のような効果を得ることができる。
【０１５１】
全国の地域コードと各地域コードに対応するガイドチャンネル情報と表示チャンネル情報をビデオデッキ情報サーバ側に格納し、地域コードメモリ１８−２にはビデオデッキ情報サーバに要求した１つの地域コードに対応するガイドチャンネルと放送チャンネルのみを格納するので、地域コードメモリは極めて小容量でよい。
【０１５２】
上記第１の実施の形態および第２の実施の形態では、携帯電話装置の現在位置をＧＰＳを使用する例について説明したが、最寄りの基地局に関する情報から現在位置を取得してもよい。
【０１５３】
また、第１の実施の形態および第２の実施の形態では、ビデオデッキに対する地域コードの設定について説明したが、テレビ放送の音声を録音可能な録音装置であってもよい。
【０１５４】
この録音装置としては、例えば赤外線リモコン機能を備えたラジオカセットテープレコーダ（ラジカセ）がある。
【図面の簡単な説明】
【０１５５】
【図１】本発明の本発明のシステム構成の概略図である。
【図２】本発明の本発明の携帯電話装置の主要構成を示すブロック図である。
【図３】本発明の第１の実施の形態の地域コード設定処理のフローチャートである。
【図４】本発明の第２の実施の形態の地域コード設定処理のフローチャートである。
【図５】地域コードと放送局のガイドチャンネルおよび放送チャンネルの一例を示す図である。
【符号の説明】
【０１５６】
１０    携帯電話装置
１１    アンテナ
１２    無線部
１３    ベースバンド信号処理部
１４    音声入出力部
１５    ＧＰＳアンテナ
１６    測位システム
１７    赤外線通信部
１８    メモリ
１８−１    赤外線通信コードメモリ
１８−２    地域コードメモリ
１８−３    位置情報メモリ
１９    制御部
【図１】
0004810067.tif 000002
【図２】
0004810067.tif 000003
【図３】
0004810067.tif 000004
【図４】
0004810067.tif 000005
【図５】
0004810067.tif 000006